(57)【要約】【課題】内外面の両側から視認可能な表示部を有するとともに、その形成工程が容易である使い捨て吸収性物品を提供する。【解決手段】  おむつ１は、シャーシ１０と、吸液性の吸液構造体２０とを有する。シャーシ１０は、身体側に位置する内面シート１４と、着衣側に位置する外面シート１５とを有し、外面シート１５は、第１外面シート１６と第１外面シート１６の内側に位置する第２外面シート１７とを有する。第２外面シート１７の外面には、縦方向Ｙに延びる表示部３０が形成されている。吸液構造体２０には、部分的にコア２３を構成する芯材が存在しない中央非存在領域４１と側部非存在領域４２とが形成されている。表示部３０は、第１外面シート１６を介して着衣側から視認できるとともに、吸液構造体２０の中央非存在領域４１を介して身体側からも視認可能とされている。【選択図】図２
2012024418.tif 000002
【特許請求の範囲】
【請求項１】
縦方向および横方向と、身体側およびその反対側とを有するシャーシと、吸液性のコアを有する吸液構造体とを含む物品本体を有し、前記シャーシには、前記吸液構造体と重なる位置に前記反対側から視認可能な表示部が形成された使い捨て吸収性物品において、
前記吸液構造体には、前記表示部に重なる位置に前記コアの非存在領域が形成され、前記非存在領域を介して前記身体側から前記表示部が視認可能であることを特徴とする前記使い捨て吸収性物品。
【請求項２】
前記シャーシは、前後ウエスト域のいずれか一方である第１ウエスト域およびいずれか他方である第２ウエスト域と、前記第１および第２ウエスト域間に位置するクロッチ域とを有し、前記吸液構造体は、前記クロッチ域から前記第１および第２ウエスト域へと延出して配置され、前記非存在領域は、少なくとも前記第１および第２ウエスト域のいずれか一方に形成される請求項１記載の使い捨て吸収性物品。
【請求項３】
前記非存在領域および前記表示部が重なる領域であって、前記表示部よりも前記身体側における前記物品本体の全光線透過率が２０〜９０％である請求項１または２記載の使い捨て吸収性物品。
【請求項４】
前記シャーシは、前記横方向に延びるシャーシ前後端縁と、前記縦方向に延びる一対のシャーシ両側縁とを有し、前記表示部は、前記シャーシ前端縁から前記シャーシ後端縁まで前記縦方向に連続して延び、
前記コアは、前記横方向に延びるコア前後端縁と、前記縦方向に延びる一対のコア両側縁とを有し、前記コア前後端縁と前記シャーシ前後端縁との間には、前後フラップが形成され、前記表示部は、前記前後フラップを介して前記身体側から視認可能とされる請求項１〜３のいずれかに記載の使い捨て吸収性物品。
【請求項５】
前記非存在領域は、前記縦方向に延びて形成される請求項１〜４のいずれかに記載の使い捨て吸収性物品。
【請求項６】
前記非存在領域は、前記縦方向に離間して複数形成される請求項１〜５のいずれかに記載の使い捨て吸収性物品。
【請求項７】
前記吸液構造体は、前記コアの前記身体側に位置する面に積層されるシートと、前記反対側に位置する面に積層されるシートとが前記非存在領域において互いに接合される請求項１〜６のいずれかに記載の使い捨て吸収性物品。
【請求項８】
前記表示部は、水分および体液の少なくともいずれかとの接触により呈色反応を示す請求項１〜７のいずれかに記載の使い捨て吸収性物品。
【請求項９】
前記第２ウエスト域には、前記第１ウエスト域に係合可能な係合手段が形成される請求項１〜８のいずれかに記載の使い捨て吸収性物品。
【請求項１０】
前記物品本体は、厚さ方向に複数積層され、前記身体側に位置する前記物品本体の前記縦方向の長さ寸法が、前記反対側に隣接する前記物品本体のそれよりも小さくされる請求項１〜９のいずれかに記載の使い捨て吸収性物品。
【発明の詳細な説明】
【技術分野】
【０００１】
本発明は、使い捨て吸収性物品に関し、より詳しくは、その着衣側から視認可能な表示部が形成された使い捨ておむつ、使い捨てのトイレット・トレーニングパンツ、使い捨て失禁パンツ、使い捨ての生理用パンツ、使い捨てのパッド等の使い捨て吸収性物品に関する。
【背景技術】
【０００２】
従来、内面シートと、外面シートと、これら内外面シートの間に位置する吸収体とを有する使い捨て吸収性物品が公知である。例えば、特許文献１には、外面シートから視認可能な直線状の太線形図柄模様が印刷された吸収性物品が開示され、特許文献２には、内面シートから視認可能な前後表記層が印刷された尿パッドが開示されている。このような特許文献１および２によれば、印刷された図柄模様等によって、吸収性物品の内外面を識別することができる。
【先行技術文献】
【特許文献】
【０００３】
【特許文献１】特開２００４−２９８５７１公報（ＪＰ  ２００４−２９８５７１  Ａ）
【特許文献２】特開２００２−３６０６２０公報（ＪＰ  ２００２−３６０６２０  Ａ）
【発明の概要】
【発明が解決しようとする課題】
【０００４】
上記のような特許文献１および２では、内外面両側から視認可能な図柄模様等を形成しようとすれば、内外面シートのそれぞれに図柄等を印刷しなければならず、図柄模様等の形成工程が煩雑になる。
【０００５】
この発明では、内外面の両側から視認可能な表示部を有するとともに、その形成工程が容易である使い捨て吸収性物品を提供することを課題とする。
【課題を解決するための手段】
【０００６】
本発明は、縦方向および横方向と、身体側およびその反対側とを有するシャーシと、吸液性のコアを有する吸液構造体とを含む物品本体を有し、前記シャーシには、前記吸液構造体と重なる位置に前記反対側から視認可能な表示部が形成された使い捨て吸収性物品の改良にかかわる。
【０００７】
本発明は、前記使い捨て吸収性物品において、前記吸液構造体には、前記表示部に重なる位置に前記コアの非存在領域が形成され、前記非存在領域を介して前記身体側から前記表示部が視認可能であることを特徴とする。
コアの非存在領域とは、コアが全く存在していない場合と、僅かに存在するが実質的には非存在である場合とを含む。
【０００８】
この発明の実施態様のひとつとして、前記シャーシは、前後ウエスト域のいずれか一方である第１ウエスト域およびいずれか他方である第２ウエスト域と、前記第１および第２ウエスト域間に位置するクロッチ域とを有し、前記吸液構造体は、前記クロッチ域から前記第１および第２ウエスト域へと延出して配置され、前記非存在領域は、少なくとも前記第１および第２ウエスト域のいずれか一方に形成される。
【０００９】
他の実施態様のひとつとして、前記非存在領域および前記表示部が重なる領域であって、前記表示部よりも前記身体側における前記物品本体の全光線透過率が２０〜９０％である。
【００１０】
他の実施態様のひとつとして、前記シャーシは、前記横方向に延びるシャーシ前後端縁と、前記縦方向に延びる一対のシャーシ両側縁とを有し、前記表示部は、前記シャーシ前端縁から前記シャーシ後端縁まで前記縦方向に連続して延び、前記コアは、前記横方向に延びるコア前後端縁と、前記縦方向に延びる一対のコア両側縁とを有し、前記コア前後端縁と前記シャーシ前後端縁との間には、前後フラップが形成され、前記表示部は、前記前後フラップを介して前記身体側から視認可能とされる。
【００１１】
他の実施態様のひとつとして、前記非存在領域は、前記縦方向に延びて形成される。
【００１２】
他の実施態様のひとつとして、前記非存在領域は、前記縦方向に離間して複数形成される。
【００１３】
他の実施態様のひとつとして、前記吸液構造体は、前記コアの前記身体側に位置する面に積層されるシートと、前記反対側に位置する面に積層されるシートとが前記非存在領域において互いに接合される。
【００１４】
他の実施態様のひとつとして、前記表示部は、水分および体液の少なくともいずれかとの接触により呈色反応を示す。
【００１５】
他の実施態様のひとつとして、前記第２ウエスト域には、前記第１ウエスト域に係合可能な係合手段が形成される。
【００１６】
他の実施態様のひとつとして、前記物品本体は、厚さ方向に複数積層され、前記身体側に位置する前記物品本体の前記縦方向の長さ寸法が、前記反対側に隣接する前記物品本体のそれよりも小さくされる。
【発明の効果】
【００１７】
本発明の特にそのひとつ以上の実施態様によれば、吸液構造体には、表示部に重なるコアの非存在領域が形成され、非存在領域を介して身体側から表示部が視認可能とされているので、吸収性物品の身体側とその反対側の両方に表示部を形成することなく、両側から表示部を視認することができる。
【図面の簡単な説明】
【００１８】
【図１】本発明の使い捨て吸収性物品の第１の実施形態であるおむつの斜視図。
【図２】おむつの展開図であって身体側から見た図。
【図３】おむつの分解斜視図。
【図４】おむつの展開図であって着衣側から見た図。
【図５】図４のＶ−Ｖ線端面図。
【図６】本発明の使い捨て吸収性物品の第２の実施形態であるおむつおよびパッドの斜視図。
【図７】パッドの平面図であって身体側から見た図。
【図８】図７のＶＩＩＩ−ＶＩＩＩ線端面図。
【図９】本発明の第３の実施形態であるおむつの図２と同様の図。
【図１０】本発明の第３の実施形態であるおむつの図４と同様の図。
【発明を実施するための形態】
【００１９】
＜第１の実施形態＞
図１は、本発明に係る第１の実施形態の使い捨て吸収性物品の一例として示す、使い捨てのおむつ１の斜視図、図２は、おむつ１の展開平面図であって身体側から見た図、図３は、おむつ１の分解斜視図、図４は、おむつ１の展開平面図であって着衣側から見た図、図５は、図４のＶ−Ｖ線端面図である。図２〜５において、各弾性要素は、その収縮力に抗して伸長させた状態で示し、図２および３において説明のためその一部を破断している。
【００２０】
おむつ１は、着用者の身体側およびその反対側である着衣側と、第１ウエスト域である前ウエスト域２と、第２ウエスト域である後ウエスト域３と、前後ウエスト域２，３間に位置するクロッチ域４とを有するシャーシ１０と、吸液性の吸液構造体２０と、シャーシ１０の身体側に位置する一対の漏れバリアカフ６０とを有する。おむつ１は、横方向Ｘの長さ寸法を二等分した仮想縦中心線Ｐ−Ｐ、縦方向Ｙの長さ寸法を二等分した仮想横中心線Ｑ−Ｑを有し、仮想縦中心線Ｐ−Ｐに関してほぼ対称とされている。
【００２１】
シャーシ１０は、横方向Ｘに延びるシャーシ前後端縁１１，１２と、縦方向Ｙに延びる一対のシャーシ両側縁１３とを含み、シャーシ両側縁１３はクロッチ域４においてその離間寸法が小さくなるようにくびれている。図１に示したように、サイドフラップシート５０によって前後ウエスト域２，３におけるシャーシ両側縁１３を互いに係合することによって、シャーシ前後端縁１１，１２でウエスト開口が形成され、クロッチ域４のシャーシ両側縁１３でレッグ開口が形成される。
【００２２】
シャーシ１０は、身体側に位置する内面シート１４と、着衣側に位置する外面シート１５とを有する。内面シート１４は、透液性の繊維不織布によって形成され、単位面積当たりの質量が約１５〜３５ｇ／ｍ２、この実施形態では約１８ｇ／ｍ２のスパンボンド繊維不織布を用いている。
【００２３】
外面シート１５は、内面シート１４とほぼ同形同大の第１外面シート１６と、第１外面シート１６の内側に位置する第２外面シート１７とを有する。第１外面シート１６としては、単位面積当たりの質量が約１５〜３５ｇ／ｍ２、この実施形態では約１７ｇ／ｍ２のスパンボンド・メルトブロー・スパンボンド（ＳＭＳ）繊維不織布を用いることができる。第２外面シート１７としては、例えば単位面積当たりの質量が約１０〜２５ｇ／ｍ２、この実施形態では約１８ｇ／ｍ２の通気性かつ不透液性のプラスチックフィルムを用いることができる。
【００２４】
第２外面シート１７の外面、すなわち、第１外面シート１６と対向する面には、縦方向Ｙに延びる表示部３０が形成されている。表示部３０は、例えば、第１および第２外面シート１６，１７とは異なる色相を有するもので、第１外面シート１６を介して着衣側から視認可能とされている。具体的には、第１および第２外面シート１６，１７は、白色であるのに対して、表示部３０は青色であり、その色が第１外面シート１６を介して視認することができる。表示部３０は、仮想縦中心線Ｐ−Ｐに沿って縦方向Ｙに連続して直線状に延びており、その端部がそれぞれシャーシ前後端縁１１，１２に位置している。すなわち、表示部３０はシャーシ１０の縦方向Ｙ全域に亘って形成されている。
【００２５】
内外面シート１４，１５の間には、少なくともクロッチ域４において縦方向Ｙに延びる複数本のレッグ弾性要素１８が伸長状態で収縮可能に取り付けられている。レッグ弾性要素１８が収縮することによって、シャーシ両側縁１３が着用者の身体に密着し、レッグ開口から尿等の排泄物が漏れるのを防止する。また、内外面シート１４，１５の間には、後ウエスト域３において横方向Ｘに延びる複数本のウエスト弾性要素１９が伸長状態で収縮可能に取り付けられている。ウエスト弾性要素１９が収縮することによって、シャーシ前後端縁１１，１２が着用者に密着し、ウエスト開口から尿等の排泄物が漏れるのを防止する。
【００２６】
内面シート１４は、第１外面シート１６とほぼ同形同大とされているが、第１外面シート１６よりも横方向Ｘの長さ寸法が小さい、ほぼ矩形とすることもできる。その場合には、レッグ弾性要素１８は、漏れバリアカフ６０と外面シート１５の間、より詳しくは漏れバリアカフ６０と第２外面シート１７との間に取り付けることもできる。
【００２７】
内外面シート１４，１５の間には、吸液構造体２０が配置されている。吸液構造体２０は、身体側に位置する第１面２１と、これとは反対側の第２面２２と、吸液性のコア２３と、コア２３を覆う被覆シート２４とを有する。コア２３は、横方向Ｘに延びるコア前後端縁２５，２６と、縦方向Ｙに延びるコア両側縁２７とを有し、フラッフパルプ、高吸収性ポリマー粒子、またはこれらの混合物等の芯材によって形成することができる。被覆シート２４としては、例えば単位面積当たりの質量が約１０〜２５ｇ／ｍ２の液拡散性のティッシュペーパを用いることができる。
【００２８】
吸液構造体２０には、部分的にコア２３を構成する芯材が存在しない中央非存在領域４１と側部非存在領域４２とが形成されている。芯材が存在しないとは、その領域に全く存在しない場合と、僅かに存在するが実質的には非存在である場合とを含む。中央非存在領域４１は、縦方向Ｙに延びるスリット状に形成され、複数配置されている。具体的には、中央非存在領域４１は、仮想縦中心線Ｐ−Ｐに沿って形成されるとともに、前後ウエスト域２，３およびクロッチ域４のそれぞれに縦方向Ｙに離間して形成されている。側部非存在領域４２は、縦方向Ｙに延びるスリット状に形成され、複数配置されている。具体的には、中央非存在領域４１の横方向Ｘ両側に位置するとともに、前後ウエスト域２，３およびクロッチ域４のそれぞれに縦方向Ｙに離間して形成されている。
【００２９】
コア２３は、縦方向Ｙの長さ寸法を約５００〜７００ｍｍ、好ましくは約６００〜６５０ｍｍ、この実施形態では約６２０ｍｍとされ、横方向Ｘの長さ寸法を約１５０ｍｍ〜４００ｍｍ、好ましくは約２００〜３５０ｍｍ、この実施形態では約３００ｍｍとされている。中央非存在領域４１および側部非存在領域４２の縦方向Ｙの長さ寸法は、前ウエスト域２において約８０〜１２０ｍｍ、この実施形態では約１００ｍｍ、後ウエスト域３において約１００〜１５０ｍｍ、この実施形態では約１２５ｍｍ、クロッチ域４において約１８０〜２２０ｍｍ、この実施形態では約２００ｍｍとされている。前ウエスト域２とクロッチ域４との非存在領域４１，４２の縦方向Ｙの離間寸法、および、クロッチ域４と後ウエスト域３との非存在領域４１，４２の縦方向Ｙの離間寸法は、それぞれ約３０〜５０ｍｍ、この実施形態では約４０ｍｍとされている。また、中央非存在領域４１の横方向Ｘの長さ寸法は約８〜１０ｍｍ、この実施形態では約９ｍｍとされ、側部非存在領域４２のそれは約７〜１０ｍｍ、この実施形態では約８ｍｍとされている。これら中央非存在領域４１と側部非存在領域４２との横方向Ｘの離間寸法は、約４０〜６０ｍｍ、この実施形態では約５０ｍｍとされている。
【００３０】
コア２３と被覆シート２４とは、図示しないホットメルト接着剤等の接合手段によって互いに接合され、中央非存在領域４１および側部非存在領域４２では、第１面２１と第２面２２との被覆シート２４が直接接触して接合される。
【００３１】
上記のような吸液構造体２０は、シャーシ１０よりもその縦方向Ｙおよび横方向Ｘの長さ寸法が小さく、コア前後端縁２５，２６が、シャーシ前後端縁１１，１２から縦方向Ｙ内側に離間して配置される。コア前後端縁２５，２６の縦方向Ｙ外側には、コア２３が存在せず、内外面シート１４，１５が直接接合された前後フラップ７１，７２が形成される。
【００３２】
内面シート１４と外面シート１５との間には、一対のサイドフラップシート５０がさらに取り付けられている。サイドフラップシート５０は後ウエスト域３に位置するとともに、シャーシ両側縁１３から横方向Ｘ外側に延出されている。サイドフラップシート５０には、補強シート５１を介して係合手段であるメカニカルファスナのフック要素５２が取り付けられている。また、サイドフラップシート５０には、補強シート５１の横方向Ｘ内側において、横方向Ｘに延びる複数本のサイドフラップ弾性要素５３が伸長状態で収縮可能に取り付けられ、これらサイドフラップシート５０を横方向Ｘに弾性化している。
【００３３】
サイドフラップシート５０は、フック要素５２を前ウエスト域２の第１外面シート１５に直接係合することができ、これら係合によって、おむつ１がパンツ形状を有する。サイドフラップシート５０は、サイドフラップ弾性要素５３によって横方向Ｘに弾性化されているので、これを前ウエスト域２に係合させた場合に、シャーシ前後端縁１１，１２によって形成されるウエスト開口が着用者の身体に密着しやすい。また、左右のサイドフラップシート５０の伸長状態が異なる状態で係合された場合であっても、着用中にその伸長状態が均等にされ、左右均等に着用者に密着させることができる。
【００３４】
内面シート１４の身体側には、一対の漏れバリアカフ６０が取り付けられている。漏れバリアカフ６０としては、単位面積当たりの質量が約１０〜２５ｇ／ｍ２の疎水性の繊維不織布を用いることができる。繊維不織布としては、例えば、スパンボンド繊維不織布、スパンボンド・メルトブロー・スパンボンド（ＳＭＳ）繊維不織布等を用いることができ、この実施形態では単位面積当たりの質量が約２５ｇ／ｍ２のスパンボンド繊維不織布を用いている。漏れバリアカフ６０は、横方向Ｘに離間して取り付けられるとともに、その外側縁６１はシャーシ両側縁１３に沿って内面シート１４に図示しないホットメルト接着剤等の接合手段によって接合され、内側縁６２は内面シート１４に接合されることなく内面シート１４から離間可能にされている。内側縁６２にはスリーブが形成され、そのスリーブ内に縦方向Ｙに延びるバリアカフ弾性要素６３が伸長状態で収縮可能に取り付けられる。バリアカフ弾性要素６３が収縮することによって、内側縁６２が内面シート１４から起立するように離間して、着用者の肌に密着し、尿等がおむつ１外に漏れるのを防止することができる。
【００３５】
上記のようなおむつ１において、表示部３０は、図１および図４に示したように、第１外面シート１６を介して着衣側から視認できるとともに、図２に示したように、吸液構造体２０の中央非存在領域４１を介して身体側からも視認可能とされている。第１外面シート１６は、その全光線透過率が約２０〜９０％、好ましくは約７０〜８５％、この実施形態では約８２％とされている。したがって、表示部３０は第１外面シート１６を介して視認することができる。また、表示部３０は身体側からも視認できるが、表示要素３０が第２外面シート１７の外面に形成されているから、中央非存在領域４１にあっては、第２外面シート１７、被覆シート２４、内面シート１４を介して視認できるようにされている。これらシートを介して表示部３０が視認されるためには、これらシートの全光線透過率が約２０〜９０％である必要があり、好ましくは約３０〜８０％、この実施形態では約３２％である。
【００３６】
全光線透過率は、ＪＩＳ−Ｋ７１０５に基づいて測定した。測定には、交照測光式色差計Ｚ−３００Ａ（日本電色工業株式会社）を用いた。具体的には、第１外面シート１６およびおむつ１の中央非存在領域４１を含む部分のそれぞれから、幅３０ｍｍ、長さ３０ｍｍにサンプルを採取し、このサンプルの全光線透過率を測定した。サンプルにおいて、第１および第２外面シート１６，１７は、ホットメルト接着剤で互いに接合されているが、マイナス４０℃のコールドスプレーを噴射して、ホットメルト接着剤の接合力を低下させ、第１外面シート１６を第２外面シート１７から剥離して、上記測定をおこなった。
【００３７】
上記のおむつ１においては、少なくとも表示部３０と重なる中央非存在領域４１は、縦方向Ｙに離間して間欠的に形成されているから、表示部３０は部分的に視認することができる。なお、表示部３０は、中央非存在領域４１以外の部分では、これを身体側から視認することはできない。このように、着衣側から視認可能な表示部３０は、少なくとも中央非存在領域４１を介して身体側からの視認可能であるので、表示部３０を着衣側および身体側の両方にそれぞれ形成する必要がない。中央非存在領域４１は、縦方向Ｙに離間して形成されているが、縦方向Ｙに連続して形成することもでき、中央非存在領域４１の縦方向Ｙの長さ寸法を大きくすることもできる。このような場合には、表示部３０をより広い範囲で視認することが可能である。ただし、その分コア２３における芯材の量が減少するから、液体の吸収力が低下する可能性がある。したがって、中央非存在領域４１の縦方向Ｙの長さ寸法、および、これらの離間寸法は、コア２３の吸収力と視認される表示部３０の程度とを比較考量して決めることが好ましい。
【００３８】
また、表示部３０は、前後フラップ７１，７２を介して身体側から視認可能とされている。すなわち、前後フラップ７１，７２では、内面シート１４と外面シート１５のみが積層され、内面シート１４および第２外面シート１７を介して表示部３０を視認することができる。したがって、おむつ１の前後端においてその中心を確認することができ、着用時において着用者に対して位置あわせをすることができる。具体的には、着用の際に、後フラップ７２から視認される表示部３０を着用者の背骨にあわせ、前フラップ７１から視認される表示部３０を着用者の臍にあわせるようにすることで、おむつ１を所望の位置に配置することができる。また、着用後におむつ１が横方向Ｘにずれたような場合であっても、表示部３０を着用者の背骨または臍に合わせるようにすることでおむつ１のずれを直すことができる。
【００３９】
上記のようなおむつ１は、その身体側にさらに尿取り用のパッド等を併用する場合に有用である。すなわち、おむつ１の身体側に別途パッドを重ねて使用することがあるが、パッドは通常、おむつ１よりもひと回り小さくされている。このようなパッドをおむつ１に重ねると、中央非存在領域４１がパッドで隠れてしまい、そこから表示部３０が視認しにくくなる可能性がある。このような場合でも、前後フラップ７１，７２から表示部３０を視認することができると、これを目印におむつ１を着用者に着用させることができ、パッドをおむつ１の中央に位置させることもできる。また、おむつ１を仰向けの着用者の背側に挿入した場合には、中央非存在領域４１が着用者の身体によって隠れてしまうことがあるが、そのような場合であっても、少なくとも前後フラップ７１，７２から表示部３０を視認することができる。特に、おむつ１が大人用であって、身体が大きくその身体で中央非存在領域４１を隠してしまうような場合には有用である。
【００４０】
おむつ１が大人用であって、特に寝たきりの着用者に対して使用する場合には、以下のようにして、着用させることができる。すなわち、着用者が大人であると身体も大きく体重も重くなる。このような場合、着用者の一方の側部が下になるように横向きにして、臀に対応する部分におむつ１を敷き、その上に着用者を仰向けにして臀におむつ１が位置するようにする。この際、おむつ１の内側から表示部３０が視認することができ、この表示部３０を目印にしておむつ１の位置あわせをすることができる。おむつ１が比較的大きくずれている場合には、さらに、着用者の他方の側部が下になるように横向きにして、おむつ１の位置を合わせることができる。このように、おむつ１と着用者との位置あわせのために、寝返りを打つように着用者を反転させることがあるが、このように反転させるうちに、おむつ１の中央線が分からなくなってしまう可能性がある。しかし、おむつ１の内側から表示部３０を視認できることによって、これを防止し、適確におむつ１と着用者との位置あわせができる。このように、おむつ１は、大人の寝たきりの着用者に用いるのに、特に適している。
【００４１】
表示部３０は、着衣側から見た場合には、縦方向Ｙに連続して表示され、身体側から見た場合には、シャーシ前後端縁１１，１２と中央非存在領域５１とで離間して表示されるから、内外面の識別がしやすく、これを間違えて着用するということを防止することができる。また、この実施形態のおむつ１は、いわゆるオープンタイプであって、着用時には、フック要素５２を外面シート１５の着衣側であって前ウエスト域２に係合させて図１に示したようなおむつ１にすることができる。このようにフック要素５２を係合させる場合には、仮想縦中心線Ｐ−Ｐに沿って形成された表示部３０を目印にすることによって、左右均等に接合することができる。左右均等に接合できなかった場合には、いずれか一方のレッグ開口が小さくなり、他方のレッグ開口が大きくなってしまう。このような場合には、着用者のいずれか一方の脚に対してはきつく、他方に対して緩く接触して、緩く接触した方では、隙間ができて排泄物等が漏れてしまう可能性があるが、これを防止することができる。
【００４２】
中央非存在領域４１は、仮想縦中心線Ｐ−Ｐに沿って形成されているから、おむつ１の身体側からその中心線を確認することができる。したがって、おむつ１を着用する際に、着用者の臀裂等に身体側から視認される表示部３０を合わせることによって、おむつ１を着用者の中心に位置させることができる。具体的には、後ウエスト域３を着用者の背中にあて、着用者の股を覆うようにして前ウエスト域２を着用者の腹側に持ってくるような場合には、後フラップ７２の表示部３０は、着用者の背中に隠れて見えなくなるが、少なくとも、クロッチ域４および前ウエスト域２に位置する中央非存在領域４１から表示部３０を視認することができるので、この表示部３０を着用者の股の中央部分および臍に合わせるように着用させることによって、おむつ１を所望の位置に配置することができる。また、上記のような着用状態において、後ウエスト域３の中央非存在領域４１の表示部３０が、着用者によって隠れることなく視認できる場合には、これを着用者の臀裂にあわせるようにして着用させることも可能である。
【００４３】
吸液構造体２０には、縦方向Ｙに延びる中央非存在領域４１と側部非存在領域４２とを形成しているので、これら非存在領域４１，４２では他の領域に比べて剛性が小さくなる。これら剛性差によって、吸液構造体２０は中央非存在領域４１および側部非存在領域４２に沿って折れ曲がりやすくなり、全体的に湾曲して着用者に密着することができ、迅速な尿等の吸収が可能となり、尿等の漏れを防止することができる。
【００４４】
中央非存在領域４１および側部非存在領域４２は、例えば、以下の方法によって形成することができる。すなわち、コア２３を形成するための型枠において、非存在領域４１，４２に該当する部位に突起部を形成し、該突起部には芯材が積層されないようにすることによって、芯材が存在しない非存在領域４１，４２を形成することができる。また、その全域にほぼ均等に積層されたコア２３において、非存在領域４１，４２に該当する部分で、押し切りカッター等によって芯材を取り除くことによって、非存在領域４１，４２を形成することができる。
【００４５】
この実施形態では、第２外面シート１７の外面に表示部３０を形成しているが、その内面に形成することもできるし、第１外面シート１６の内外面のいずれかに形成することもできる。ただし、着衣への色移りを考慮すると、着衣に直接接触しない部分に形成することが望ましい。また、表示部３０としては、種々の印刷方法のほか、水分や体液との接触によって呈色反応を有するインジケータを用いることができる。このようなインジケータを用いることによって、排尿の有無を確認することもできる。表示部３０は、おむつ１の身体側および着衣側のいずれからも視認することができるから、おむつ１の身体側および着衣側からそれぞれインジケータの変色を確認することができる。また、上記のようなインジケータを有するおむつ１は、特に、寝たきりの大人に用いる場合には以下の効果を奏する。すなわち、寝たきりの大人の場合には、表示部３０を外側から見るよりも、おむつ１を展開させてその内側から見るほうが容易であり、展開させた際に、内側から見えるインジケータが変色している場合には、そのままおむつ１を交換することができるからである。
【００４６】
表示部３０の横方向Ｘの長さ寸法は、これに重なる中央非存在領域４１の横方向Ｘの長さ寸法よりも大きくしている。具体的には、表示部３０の横方向Ｘの長さ寸法は約２〜１０ｃｍとされ、中央非存在領域４１のそれは約０．５〜２．０ｃｍとされている。このような寸法関係にすることによって、吸液構造体２０の取付位置がシャーシ１０に対して横方向Ｘにずれた場合であっても、表示部３０と重なるようにすることができる。また、表示部３０は、少なくとも前後ウエスト域２，３のいずれか一方に形成されればよく、その一部に中央非存在領域４１または側部非存在領域４２が重なるようにされればよい。中央非存在領域４１および側部非存在領域４２は、縦方向Ｙに延びるスリットであるほか、例えばドット状に縦方向Ｙに離間して並ぶようなものであってもよい。いずれにしても、おむつ１の身体側から表示部３０を視認できる領域を含むものであればよい。
【００４７】
上記のようなおむつ１において、表示部３０と中央非存在領域４１とが重なった部分で、その厚さ方向にプレスすることができる。このようにプレスすることによって、コア２３の第１面２１および第２面２２に位置する被覆シート２４および内面シート１４が密着される。したがって、シートが互いに離間することによる全光線透過率の低下を防止し、表示部３０が視認しにくくなるのを防止することができる。また、第１面２１と第２面２２との被覆シート２４が、非存在領域４１，４２で接合されることによって、芯材の横方向Ｘへの移動を規制することができ、コア２３の保形をすることもできる。プレスは、例えば、少なくとも中央非存在領域４１と重なる幅を有するリング状のプレスロールと、アンビルロールとの間に、シャーシ１０と吸液構造体２０との積層体を通過させることによっておこなうことができ、また、プレスロールとして、少なくとも中央非存在領域４１に対応する部分に凸部を有するものを用いることもできる。
【００４８】
中央非存在領域４１は、実質的にコア２３が存在しない領域であり、この領域で被覆シート２４が互いに接合されることによって、第１面２１および第２面２２から厚さ方向へとへこむ凹部が形成される。このように凹部が形成されることによって、視覚的および触覚的にもこの領域を確認することができる。中央非存在領域４１を介して表示部３０が視認でき、かつ、凹部の形成によって、より一層この領域を確認しやすくすることができる。
【００４９】
コア２３と被覆シート２４、被覆シート２４と内面シート１４、被覆シート２４と第２外面シート１７は、それぞれホットメルト接着剤等の接合手段によって接合されているが、接合手段として、全光線透過率を低下させないような材料および方法を用いることが望ましい。具体的には、ホットメルト接着剤を用い、オメガ塗工、スパイラル塗工等の方法によって、互いに接合されるようにしている。
【００５０】
表示部３０は、内外面シート１４，１５とは色相が異なることによって識別可能としているが、彩度または明度によって識別可能とすることもできる。また、表示部３０は、直状の連続するラインによって形成しているが、曲線にしたり、縦方向Ｙに間欠的に並ぶ点状にしたり、これらを組み合わせるようにしたりしてもよい。さらに、文字やコーポレートマーク等の図柄を用いることもできる。
【００５１】
上記のようなおむつ１において、例えば、吸液構造体２０と第２外面シート１７との間には、不透液性の漏れ防止シートを配置することもでき、内面シート１４と吸液構造体２０との間には、透液性のセカンドシートを配置することもできる。このように他のシートを積層させた場合であっても、中央非存在領域４１に重なるシートの全光線透過率が約２０〜９０％の範囲とされることによって、それらシートを介して表示部３０を身体側から視認することができる。
【００５２】
シャーシ１０は、内外面シート１４，１５を有するものについて記載されているが、この構成に限定するものではない。例えば、シャーシ１０が一枚のシートによって形成されるものであってもよいし、他のシートを含むものであってもよい。また、内外面シート１４，１５の間に吸液構造体２０が配置される構成となっているが、吸液構造体２０は、シャーシ１０の構成等によって、その配置される位置は適宜変更可能である。
【００５３】
＜第２の実施形態＞
図６〜８は、この発明の第２の実施形態を示したものである。図６は、おむつ１のサイドフラップシート５０を前ウエスト域２から外したときの斜視図、図７は、パッド１００の平面図であって身体側から見た図、図８は、図７のＶＩＩＩ−ＶＩＩＩ線端面図である。図７において、説明のためにその一部を破断している。この第２の実施形態では、図６に示したように、おむつ１（第１の物品本体）の身体側に、使い捨てのパッド１００（第２の物品本体）を配置させて用い、これらおむつ１とパッド１００とによって吸収性物品が形成される。おむつ１は第１の実施形態と同様であるので、その説明を省略する。
【００５４】
パッド１００は、おむつ１とほぼ同様の構成であり、サイドフラップシートを有しない点、および、おむつ１よりも縦方向Ｙおよび横方向Ｘに小さくされている点において異なる。おむつ１と同様の構成要素については、おむつ１と同じ名称を用い、その詳細な説明を省略する。また、同じ名称の構成要素については、パッド１００においては１００番台の符号を付し、おむつ１の構成要素と区別している。
【００５５】
パッド１は、シャーシ１１０と、吸液構造体１２０と、漏れバリアカフ１６０とを有する。シャーシ１１０は、透液性の内面シート１１４と、不透液性の外面シート１１５とを有し、外面シート１１５は、着衣側に位置する第１外面シート１１６と、その内側に位置する第２外面シート１１７とを有する。内外面シート１１４，１１５の間には、吸液構造体１２０が配置され、吸液構造体１２０は、第１面１２１と、その反対側の第２面１２２と、吸液性のコア１２３と、コア１２３を覆う被覆シート１２４とを有する。内面シート１１４の身体側には、一対の漏れバリアカフ１６０が取り付けられている。漏れバリアカフ１６０は、横方向Ｘに離間して縦方向Ｙに延びるとともに、外側縁１６１は内面シート１１４に接合され、内側縁１６２は内面シート１１４に接合されていない。内側縁１６２には、複数本のバリアカフ弾性要素１６３が、縦方向Ｙに延びるとともに伸長状態で収縮可能に取り付けられている。
【００５６】
図６に示したように、パッド１００の縦方向Ｙおよび横方向Ｘの長さ寸法は、おむつ１のそれよりもそれぞれ小さくされている。したがって、シャーシ前後端縁１１１，１１２は、おむつ１のシャーシ前後端縁１１，１２よりも縦方向Ｙの内側に位置され、パッド１００のシャーシ両側縁１１３は、おむつ１のシャーシ両側縁１３よりも横方向Ｘ内側に位置されている。さらにパッド１００は、おむつ１の漏れバリアカフ６０よりも横方向Ｘ内側に位置されている。
【００５７】
パッド１００には、第２外面シート１１７の第１外面シート１１６に対向する面に、表示部１３０を形成している。表示部１３０は、縦方向Ｙに連続して延びるとともに、その端部がシャーシ前後端縁１１１，１１２に位置し、コア前後端縁１２５，１２６の縦方向Ｙ外側に位置する前後フラップ１７１，１７２に延出している。この表示部１３０は、第１外面シート１１６を介して、着衣側から視認することができる。
【００５８】
表示部１３０は、これと重なる中央非存在領域１４１において身体側からも視認可能とされている。また、表示部１３０は、前後フラップ１７１，１７２においても、身体側から視認可能とされている。
【００５９】
上記のようなパッド１００をおむつ１の内側に入れて使用する場合、身体側から仮想横中心線Ｐ−Ｐに位置する表示部１３０が中央非存在領域１４１および前後フラップ１７１，１７２から視認することができるので、これを目印におむつ１に取り付けることができる。すなわち、おむつ１の表示部３０とパッド１００の表示部１３０とを縦方向Ｙにおいて一致させるように取り付けることができる。このようにパッド１００をおむつ１に取り付けることによって、パッド１００とおむつ１とが互いに横方向Ｘにずれるのを防止することができる。
【００６０】
パッド１００の中央非存在領域１４１から視認される表示部１３０、および前後フラップ１７１，１７２から視認される表示部１３０を着用者の臀裂、股中央部分、臍等にあわせて着用させることで、着用者の身体の中心に合わせてパッド１００を着用させることができる。このようなパッド１００を取り付けたおむつ１においては、パッド１００のみを交換して使用する態様も考えられるが、おむつ１に対してパッド１００の位置あわせを容易にできるとともに、パッド１００の着用者に対する位置あわせも容易にすることができる。
【００６１】
上記のような吸収性物品において、パッド１００を交換する際には、おむつ１の表示要素３０がその内側に現れる。少なくともおむつ１の表示部３０を尿等で変色するインジケータとすることによって、パッド１００を交換する際に、尿等がおむつ１まで到達しているか否かを確認することができる。尿等がおむつ１に到達している場合には、パッド１００だけでなく、おむつ１も交換するようにすることができる。すなわち、おむつ１の表示部３０をインジケータにすることによって、パッド１００交換時において、おむつ１も交換するか否かの判断材料にすることができる。
【００６２】
パッド１００は、おむつ１の漏れバリアカフ６０の横方向Ｘ内側に位置させるようにしているので、漏れバリアカフ６０によってパッド１００が横方向Ｘにずれるのを防止することができる。また、おむつ１のみならず、パッド１００にも漏れバリアカフ１６０を形成しているので、二重のカフによって、尿等が漏れるのを防止することができる。
【００６３】
おむつ１およびパッド１００を構成する各構成部材には、本明細書に記載されている材料のほかに、この種の分野において通常用いられている、各種の公知の材料を制限なく用いることができる。また、おむつ１としては、いわゆるオープンタイプを用いて説明しているが、前後ウエスト域２，３の両側縁５があらかじめ互いに接合されているプル・オンタイプのものを用いることもできる。おむつ１とパッド１００とをその厚さ方向に積層する場合に、さらにその身体側に別の物品本体であるパッド等を積層させてもよい。
【００６４】
＜第３の実施形態＞
図９および１０は、この発明の第３の実施形態を示したものである。図９は図２と同様の図であってその一部を破断した図、図１０は図４と同様の図である。この実施形態は、縦方向Ｙに延びる表示部３０のほかに、横方向Ｘに延びる表示部３１を有し、表示部３１に重なる非存在領域４３を形成することを特徴とする。この特徴以外は、第１の実施形態と同様であるので、同様の構成要素については第１の実施形態と同じ符号を用い、その詳細な説明を省略する。
【００６５】
横方向Ｘに延びる表示部３１は、シャーシ両側縁１３の間において仮想横中心線Ｑ−Ｑに沿って形成されている。したがって、表示部３０と表示部３１とは、クロッチ域４において互いにほぼ直角に交差している。これら表示部３０および３１は、第２外面シート１７の吸液構造体２０に対向する面に形成され、第１外面シート１６を介しておむつ１の着衣側から視認可能とされている。
【００６６】
吸液構造体２０には、横方向Ｘに延びる非存在領域４３が形成されている。非存在領域４３は、表示部３１に重なって、すなわち、仮想横中心線Ｑ−Ｑに沿ってスリット状に形成されている。非存在領域４３を形成することによって、表示部３１がおむつ１の身体側から視認することができる。すなわち、表示部３１は、被覆シート２４および内面シート１４を介して視認することができる。表示部３１が視認可能なので、おむつ１を着用者に着用させる際には、これをおむつ１の縦方向Ｙの長さ寸法の二等分線、すなわち仮想横中心線Ｑ−Ｑであることを確認しながら着用者に合わせることができる。仮想横中心線Ｑ−Ｑに重なる表示部３１を着用者の股下部分に位置させることによって、着用者の腹側または背側におむつ１が偏って位置するのを防止することができる。
【００６７】
表示部３１は、シャーシ両側縁１３の間の全域に亘って横方向Ｘに延びているが、その一部に形成されていてもよいし、間欠的に形成されていてもよい。ただし、シャーシ両側縁１３の間の全域に亘って形成されることで、吸液構造体２０の横方向Ｘ両側から表示部３１が延出し、これを視認することが可能となる。この場合には、吸液構造体２０の横方向Ｘ外側において、内面シート１４および漏れバリアカフ６０を介して表示部３１を視認可能とすることもできる。この実施形態では、図９に示したように、吸液構造体２０の横方向Ｘ外側において内面シート１４と漏れバリアカフ６０とが互いに密に接触している状態では、これを透過して表示部３１を視認することができるが、バリアカフ弾性要素６３の収縮力によって漏れバリアカフ６０が内面シート１４から起立するように離間した場合には、この離間した領域では内面シート１４および漏れバリアカフ６０を介して表示部３１視認することができない。この場合には、漏れバリアカフ６０と内面シート１４との間から表示部３１を視認することができる。なお、内面シート１４と漏れバリアカフ６０とが互いに接合されている領域においては、漏れバリアカフ６０の起立に拘わらず、身体側から表示部３１を視認可能である。
【００６８】
また、非存在領域４３が横方向Ｘに延びるスリット状に形成されているが、間欠的に形成されている場合等、種々の態様が可能である。ただし、横方向Ｘに延びる非存在領域４３を形成することによって、おむつ１は、この非存在領域４３を介して折れ曲がりやすくなる。したがって、おむつ１をコンパクトに折り畳むことができ、収納の際に嵩張るのを防止することができる。また、着用時には、クロッチ域４で尿等を一時的に保持するポケットを形成することができ、尿漏れを防止することができる。
【００６９】
縦方向Ｙに延びる表示部３０に重なる非存在領域をさらに形成することも可能である。表示部３０および３１に重なる非存在領域を組み合わせて形成することにより、おむつ１の着用時における横方向Ｘおよび縦方向Ｙのずれを同時に防止することができる。ただし、この実施形態において、縦方向Ｙに延びる表示部３０は必須の構成要素ではなく、これがなくてもよい。
【００７０】
本発明の明細書および特許請求の範囲において、用語「第１」および「第２」は、同様の要素、位置等を単に区別するために用いられている。さらに、本発明の明細書および特許請求の範囲において、用語「第１ウエスト域」は、前後ウエスト域の一方を意味し、「第２ウエスト域」はその他方を意味する。
【符号の説明】
【００７１】
１    おむつ（使い捨て吸収性物品、物品本体）
１００    パッド（使い捨て吸収性物品、物品本体）
２    前ウエスト域（第１又は第２ウエスト域）
３    後ウエスト域（第１又は第２ウエスト域）
４    クロッチ域
１０，１１０    シャーシ
１１，１１１    シャーシ前端縁
１２，１１２    シャーシ後端縁
１３，１１３    シャーシ両側縁
２０，１２０    吸液構造体
２３，１２３    コア
２５，１２５    コア前端縁
２６，１２６    コア後端縁
２７，１２７    コア両側縁
３０，１３０    表示部
３１            表示部
４１，１４１    中央非存在領域
４２，１４２    両側部非存在領域
４３            非存在領域
５２            フック要素（係合手段）
７１，１７１    前フラップ
７２，１７２    後フラップ
Ｘ              横方向
Ｙ              縦方向
Ｐ−Ｐ          仮想縦中心線
Ｑ−Ｑ          仮想横中心線
【図１】
2012024418.tif 000003
【図２】
2012024418.tif 000004
【図３】
2012024418.tif 000005
【図４】
2012024418.tif 000006
【図５】
2012024418.tif 000007
【図６】
2012024418.tif 000008
【図７】
2012024418.tif 000009
【図８】
2012024418.tif 000010
【図９】
2012024418.tif 000011
【図１０】
2012024418.tif 000012